【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
液体を吐出する吐出口が形成された一方向に長尺な吐出面を有するライン型液体吐出ヘッドと、
前記吐出面と対向して配置され、記録媒体を支持する支持部と、
液体を貯留する第１タンクと、
前記第１タンクの液体を前記液体吐出ヘッドに移送するための液体移送部と、
前記液体吐出ヘッドから排出された液体を受け取る受け部と、
液体を収容する廃液タンクと、
前記受け部で受け取った液体を前記廃液タンクに移送するための廃液移送部と、
前記液体吐出ヘッド、前記第１タンク及び前記液体移送部を保持する第１筐体と、
前記支持部、前記受け部、前記廃液タンク及び前記廃液移送部を保持する第２筐体とを備えており、
前記第１筐体は、前記吐出面が前記支持部と対向するように前記第１筐体と前記第２筐体とが近接する第１位置と、前記第１位置のときよりも前記吐出面が前記支持部から離隔するように前記第１筐体と前記第２筐体とが離隔する第２位置とを取り得るように、前記第２筐体に対して相対移動可能に連結されており、前記液体吐出ヘッドよりも上方に配置され、前記液体吐出ヘッドによって画像が形成された記録媒体が排出される排出部を有しており、
前記第２筐体は、前記受け部よりも下方に配置され、記録媒体を収容する収容トレイを有しており、
前記第１筐体及び前記第２筐体を含む装置筐体は、前記収容トレイから前記支持部と前記吐出面との間を経由して前記排出部に至る搬送経路を含み、この搬送経路に沿って記録媒体を搬送する搬送機構を有しており、
前記液体移送部は、前記第１タンクと連通し、前記第１タンクから移送される液体を一時的に貯留し当該液体を前記液体吐出ヘッドに供給する第２タンクを有しており、
前記第２タンクは、前記第２タンクに貯留された液体の液面が前記吐出面よりも下方の所定高さ範囲内にあるように、配置されていることを特徴とする液体吐出装置。
【請求項２】
前記廃液タンクと前記受け部は、前記一方向に並んで配置され、
前記第２タンクと前記液体吐出ヘッドは、前記一方向に並んで配置され、
前記第２タンクの少なくとも一部は、前記廃液タンクと鉛直方向に重なることを特徴とする請求項１に記載の液体吐出装置。
【請求項３】
前記第２タンクと前記液体吐出ヘッドは、前記一方向に並んで配置され、
前記第１タンクは、前記一方向に長尺に延在し、前記第２タンク側の一端には前記液体移送部に接続される接続部が設けられていることを特徴とする請求項１又は２に記載の液体吐出装置。
【請求項４】
前記第１タンクと前記液体吐出ヘッドは、前記吐出面と平行な方向であって前記一方向と直交する直交方向に並んで配置されていることを特徴とする請求項３に記載の液体吐出装置。
【請求項５】
前記廃液タンクは、前記吐出面と平行な方向であって前記一方向と直交する直交方向に延在した延在部と、前記延在部の一端部から上方に突出した突出部とを有しており、
前記第２タンクは、前記第１及び第２筐体が前記第１位置を取るときに、前記突出部と前記直交方向に重なることを特徴とする請求項２〜４のいずれか１項に記載の液体吐出装置。
【請求項６】
液体を吐出する吐出口が形成された一方向に長尺な吐出面を有するライン型液体吐出ヘッドと、
前記吐出面と対向して配置され、記録媒体を支持する支持部と、
液体を貯留する第１タンクと、
前記第１タンクの液体を前記液体吐出ヘッドに移送するための液体移送部と、
前記液体吐出ヘッドから排出された液体を受け取る受け部と、
液体を収容する廃液タンクと、
前記受け部で受け取った液体を前記廃液タンクに移送するための廃液移送部と、
前記液体吐出ヘッド、前記第１タンク及び前記液体移送部を保持する第１筐体と、
前記支持部、前記受け部、前記廃液タンク及び前記廃液移送部を保持する第２筐体とを備えており、
前記第１筐体は、前記吐出面が前記支持部と対向するように前記第１筐体と前記第２筐体とが近接する第１位置と、前記第１位置のときよりも前記吐出面が前記支持部から離隔するように前記第１筐体と前記第２筐体とが離隔する第２位置とを取り得るように、前記第２筐体に対して相対移動可能に連結されており、前記液体吐出ヘッドよりも上方に配置され、前記液体吐出ヘッドによって画像が形成された記録媒体が排出される排出部を有しており、
前記第２筐体は、前記受け部よりも下方に配置され、記録媒体を収容する収容トレイを有しており、
前記第１筐体及び前記第２筐体を含む装置筐体は、前記収容トレイから前記支持部と前記吐出面との間を経由して前記排出部に至る搬送経路を含み、この搬送経路に沿って記録媒体を搬送する搬送機構を有しており、
前記液体移送部は、中空針と、前記中空針を前記第１タンクの接続部に接続させる接続位置と前記接続部から離隔させる離隔位置との間において、前記中空針を前記一方向に移動させる中空針移動機構とを含み、
前記中空針移動機構と前記第１タンクは、前記一方向に並んで配置され、
前記中空針移動機構の少なくとも一部は、前記廃液タンクと鉛直方向に重なることを特徴とする液体吐出装置。
【請求項７】
液体を吐出する吐出口が形成された一方向に長尺な吐出面を有するライン型液体吐出ヘッドと、
前記吐出面と対向して配置され、記録媒体を支持する支持部と、
液体を貯留する第１タンクと、
前記第１タンクの液体を前記液体吐出ヘッドに移送するための液体移送部と、
前記液体吐出ヘッドから排出された液体を受け取る受け部と、
液体を収容する廃液タンクと、
前記受け部で受け取った液体を前記廃液タンクに移送するための廃液移送部と、
前記液体吐出ヘッド、前記第１タンク及び前記液体移送部を保持する第１筐体と、
前記支持部、前記受け部、前記廃液タンク及び前記廃液移送部を保持する第２筐体とを備えており、
前記第１筐体は、前記吐出面が前記支持部と対向するように前記第１筐体と前記第２筐体とが近接する第１位置と、前記第１位置のときよりも前記吐出面が前記支持部から離隔するように前記第１筐体と前記第２筐体とが離隔する第２位置とを取り得るように、前記第２筐体に対して相対移動可能に連結されており、前記液体吐出ヘッドよりも上方に配置され、前記液体吐出ヘッドによって画像が形成された記録媒体が排出される排出部を有しており、
前記第２筐体は、前記受け部よりも下方に配置され、記録媒体を収容する収容トレイを有しており、
前記第１筐体及び前記第２筐体を含む装置筐体は、前記収容トレイから前記支持部と前記吐出面との間を経由して前記排出部に至る搬送経路を含み、この搬送経路に沿って記録媒体を搬送する搬送機構を有しており、
前記第１タンクと前記液体吐出ヘッドは、前記吐出面と平行な方向であって前記一方向と直交する直交方向に並んで配置され、
前記収容トレイ、前記支持部、前記液体吐出ヘッド及び前記排出部のそれぞれが残り３つのいずれとも少なくとも一部において、鉛直方向に重なることを特徴とする液体吐出装置。
【請求項８】
前記収容トレイと前記廃液タンクは、前記一方向に並んで配置されていることを特徴とする請求項７に記載の液体吐出装置。
【請求項９】
前記支持部は、プラテンと、前記プラテンを前記吐出面と対向する対向位置と対向しない退避位置との間において移動させるプラテン移動機構とを有しており、
前記受け部は、前記プラテンが前記退避位置にあるときに前記吐出面と対向する対向部材と、前記液体吐出ヘッドからの液体を受ける受け取り位置と前記受け取り位置よりも下方の待機位置との間において前記対向部材を前記鉛直方向に移動させる対向部材移動機構とを有しており、
前記プラテンと前記対向部材は、前記収容トレイと前記吐出面との間に配置されていることを特徴とする請求項７又は８に記載の液体吐出装置。
【請求項１０】
前記排出部における記録媒体を支持する支持面は、前記吐出面と平行な方向であって前記一方向と直交する直交方向の一端が他端よりも下方であって前記第１タンクと前記吐出面との間に配置されており、
前記第１タンクの少なくとも一部は、前記支持面と前記鉛直方向に重なることを特徴とする請求項７〜９のいずれか一項に記載の液体吐出装置。
【請求項１１】
前記搬送経路は、前記収容トレイから前記支持部と前記吐出面との間に至るまでの湾曲経路を含んでおり、
前記第１タンクの少なくとも一部は、前記湾曲経路と前記鉛直方向に重なることを特徴とする請求項１０に記載の液体吐出装置。